【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
被験者の視野における感度喪失を検出する閾上検査を行う装置であって、
視野内に分散された箇所群の各箇所に１回刺激を提示し、
各刺激が被験者に視認されたかどうかを示す結果を取得し、
各箇所において刺激を再提示するか否かを決定し、所定の箇所に対して、前記決定は複数の箇所から取得された結果の結合を含み、前記複数の箇所は当該箇所に関連するクラスターによって規定され、前記クラスターは、視野における視神経線維束の経路によって決まる装置。
【請求項２】
前記クラスターに対応する重み配列を作成し、前記クラスターの各箇所に重みを割り当て、前記結合は、前記重み配列を用いて複数の結果を選別することを含む、請求項１に記載の装置。
【請求項３】
前記刺激を再提示するために、選別された結果を、第１限界より高いが第２限界より低い中間の結果を出した箇所を選ぶ検査にかけ、所定の箇所で刺激を再提示するか否かを決定する、請求項２に記載の装置。
【請求項４】
前記刺激を再提示する前に刺激の強度を調整する、請求項１乃至３いずれか１項に記載の装置。
【請求項５】
前記提示、取得、決定のサイクルを複数回行う請求項１乃至４いずれか１項に記載の装置。
【請求項６】
全ての箇所で前記刺激を再提示しないと決定された場合、またはサイクルが所定の最大回数行われた場合前記サイクルを終了する、請求項５に記載の装置。
【請求項７】
所定箇所（第１の箇所という）に関して、第１の箇所が属するクラスターは、第１の箇所と前記箇所群内の他の箇所（第２の箇所という）間の相関を算出することによって決定される、請求項１乃至６いずれか１項に記載の装置。
【請求項８】
第１の箇所と第２の箇所間の相関は、第１の箇所及び第２の箇所を通過する、または、それらに近い視野内の視神経線維束の経路に基づくパラメータを使って算出される、請求項７に記載の装置。
【請求項９】
前記パラメータは（ｉ）第１の箇所を通る第１の視神経線維束と、（ｉｉ）第１の箇所を通る第２の視神経線維束との間の角度に基づく、請求項８に記載の装置。
【請求項１０】
第１の視神経線維束と第２の視神経線維束との間の前記角度は、視神経頭で測定される、請求項９に記載の装置。
【請求項１１】
前記相関はさらに、第１の箇所と第２の箇所間の網膜の距離に基づく、請求項７乃至１０いずれか１項に記載の装置。
【請求項１２】
第１の箇所と第２の箇所の相関が所定の閾値を超えた場合、第１の箇所が属するクラスターに別の第２の箇所が追加される、請求項７乃至１１いずれか１項に記載の装置。
【請求項１３】
前記別の第２の箇所と第１の箇所の相関に基づいて、前記クラスターにおける各第２の箇所の重みが決定される、請求項７乃至１２いずれか１項に記載の装置。
【請求項１４】
前記検査は動き変位検査を含む、請求項１乃至１３いずれか１項に記載の装置。
【請求項１５】
被験者の視野における動き変位検査を行う装置であり、
前記動き変位検査には、表示物の移動を含む刺激の提示が含まれ、前記装置は、複数の画素を有する液晶表示監視装置を含み、各画素は複数のサブピクセルを有し、各サブピクセルは実質的に同じ色の光を発し、前記装置は、前記表示物の移動を表示するためにサブピクセル化レンダリングを用いる装置。
【請求項１６】
前記表示物は、垂直線を含み、前記移動は、前記垂直線の水平移動である、請求項１５に記載の装置。
【請求項１７】
前記サブピクセルは、均一の間隔で、前記表示物の前記移動の方向と平行な方向に配置される、請求項１５または１６に記載の装置。
【請求項１８】
各サブピクセルは白色光を出力する、請求項１５乃至１７いずれか１項に記載の装置。
【請求項１９】
所定の画素のサブピクセルが全て同じ出力エネルギーを生成する、請求項１５乃至１８いずれか１項に記載の装置。
【請求項２０】
所定の範囲の様々な変位を持つ複数の刺激を提示し、前記複数の刺激のうち少なくとも１つの刺激の変位と、前記複数の刺激のうちの他の刺激の変位は、サブピクセル量だけ異なる、請求項１５乃至１９いずれか１項に記載の装置。
【請求項２１】
変位が漸増増加する複数の刺激を提示し、前記漸増増加は、サブピクセルの間隔確保に相当する、請求項２０に記載の装置。
【請求項２２】
サブピクセル化レンダリングを用いると、動的検査範囲の感度上限を向上させることができる、請求項１５乃至２１いずれか１項に記載の装置。
【請求項２３】
サブピクセル化レンダリングを用いると、検査閾の測定が高精度になる、請求項１５乃至２２いずれか１項に記載の装置。
【請求項２４】
被験者の視野における感度喪失を検出する閾上検査を行うための方法であって、
視野内に分散された箇所群の各箇所に１回刺激を提示する工程、
各刺激が被験者に視認されたかどうかを示す結果を取得する工程、及び
各箇所において刺激を再提示するか否かを決定し、所定の箇所に対して、前記決定は複数の箇所から取得された結果の結合を含み、前記複数の箇所は当該箇所に関連するクラスターによって規定され、前記クラスターは、視野における視神経線維束の経路によって決まる工程、
を含む方法。
【請求項２５】
前記クラスターに対応する重み配列を作成し、前記クラスターの各箇所に重みを割り当て、前記結合は、前記重み配列を用いて複数の結果を選別することを含む工程をさらに含む、請求項２４に記載の方法。
【請求項２６】
前記刺激を再提示するために、選別された結果を、第１限界より高いが第２限界より低い中間の結果を出した箇所を選ぶという検査にかけ、所定の箇所で刺激を再提示するか否かを決定する工程をさらに含む、請求項２５に記載の方法。
【請求項２７】
前記刺激を再提示する前に刺激の強度を調整する工程をさらに含む、請求項２４乃至２
６いずれか１項に記載の方法。
【請求項２８】
前記提示、取得、決定のサイクルを複数回行う工程をさらに含む、請求項２４乃至２７いずれか１項に記載の方法。
【請求項２９】
全ての箇所で前記刺激を再提示しないと決定された場合、またはサイクルが所定の最大回数行われた場合前記サイクルを終了する、請求項２８に記載の方法。
【請求項３０】
所定箇所（第１の箇所という）に関して、第１の箇所が属するクラスターは、第１の箇所と前記箇所群内の他の箇所（第２の箇所という）間の相関を算出することによって決定される、請求項２４乃至２９いずれか１項に記載の方法。
【請求項３１】
第１の箇所と第２の箇所間の相関は、第１の箇所及び第２の箇所を通過する、または、それらに近い視野内の視神経線維束の経路に基づくパラメータを使って算出される、請求項３０に記載の方法。
【請求項３２】
前記パラメータは（ｉ）第１の箇所を通る第１の視神経線維束と、（ｉｉ）第１の箇所を通る第２の視神経線維束との間の角度に基づく、請求項３１に記載の方法。
【請求項３３】
第１の視神経線維束と第２の視神経線維束との間の前記角度は、視神経頭で測定される、請求項３２に記載の方法。
【請求項３４】
前記相関はさらに、第１の箇所と第２の箇所間の網膜の距離に基づく、請求項３０乃至３３いずれか１項に記載の方法。
【請求項３５】
第１の箇所と第２の箇所の相関が所定の閾値を超えた場合、第１の箇所が属するクラスターに別の第２の箇所が追加される、請求項３０乃至３４いずれか１項に記載の方法。
【請求項３６】
前記別の第２の箇所と第１の箇所の相関に基づいて、前記クラスターにおける各第２の箇所の重みが決定される工程をさらに含む、請求項３０乃至３５いずれか１項に記載の方法。
【請求項３７】
前記検査は動き変位検査を行う工程を含む、請求項３０乃至３６いずれか１項に記載の方法。
【請求項３８】
被験者の視野における動き変位検査を行う方法であり、
前記動き変位検査には、表示物の移動を含む刺激の提示が含まれ、実質的に同じ色の光を発する複数のサブピクセルをそれぞれ有する複数の画素を有する液晶表示監視装置を用意する工程、及び前記表示物の移動を表示するためにサブピクセル化レンダリングを用いる工程、を含む方法。
【請求項３９】
前記表示物は、垂直線を含み、前記移動は、前記垂直線の水平移動である、請求項３８に記載の方法。
【請求項４０】
前記サブピクセルは、均一の間隔で、前記表示物の前記移動の方向と平行な方向に配置される、請求項３８または３９に記載の方法。
【請求項４１】
各サブピクセルは白色光を出力する、請求項３８乃至４０いずれか１項に記載の方法。
【請求項４２】
所定の画素のサブピクセルが全て同じ出力エネルギーを生成する、請求項３８乃至４１
いずれか１項に記載の方法。
【請求項４３】
前記装置により所定の範囲の様々な変位を持つ複数の刺激を提示し、前記複数の刺激のうち少なくとも１つの刺激の変位と、前記複数の刺激のうちの他の刺激の変位は、サブピクセル量だけ異なる工程をさらに含む、請求項３８乃至４２いずれか１項に記載の方法。
【請求項４４】
変位が漸増増加する複数の刺激を提示し、前記漸増増加は、サブピクセルの間隔確保に相当する工程をさらに含む、請求項４３に記載の方法。
【請求項４５】
サブピクセル化レンダリングを用いると、動的検査範囲の感度上限を向上させることができる、請求項３８乃至４４いずれか１項に記載の方法。
【請求項４６】
サブピクセル化レンダリングを用いると、検査閾の測定が高精度になる、請求項３８乃至４５いずれか１項に記載の方法。
【請求項４７】
実行されると請求項２３乃至４６いずれか１項に記載される方法を実施するプログラム命令を含む、コンピューター・プログラム。
【請求項４８】
請求項４７に記載されるコンピューター・プログラムを記憶するコンピュータ読み取り可能な記憶媒体を含むコンピューター・プログラム製品。
【請求項４９】
コンピュータにより実行されると、前記コンピュータが被験者の視野における感度喪失を検出する閾上検査を行うプログラム命令を含むコンピューター・プログラム製品であって、
視野内に分散された箇所群の各箇所に１回刺激を提示する工程、
各刺激が被験者に視認されたかどうかを示す結果を取得する工程、及び
各箇所において刺激を再提示するか否かを決定し、所定の箇所に対して、前記決定は複数の箇所から取得された結果の結合を含み、前記複数の箇所は当該箇所に関連するクラスターによって規定され、前記クラスターは、視野における視神経線維束の経路によって決まる工程、
を含むコンピューター・プログラム製品。